(57)【要約】【課題】太陽熱の利用効率を高めながら、コンパクトなサイズで十分な換気量をえることができる、集熱ダクト及び集熱ダクトを利用した換気システムを提供する。【解決手段】  空気流路24形成用の外筒６の少なくとも一半側部を透光部22とするとともに、他半側部に断熱部18を形成し、かつ上記空気流路24内に上記透光部22に対面する受光面30を有する集熱板８を設置した。また、上記集熱板８は、上記透光部22との間に第1空気流路部分24ａを、上記断熱部18との間に第２空気流路部分24ｂをそれぞれ介在させて設置した。【選択図】  図１
2006029732.tif 000002
【特許請求の範囲】
【請求項１】
空気流路24形成用の外筒６の少なくとも一半側部を透光部22とするとともに、他半側部に断熱部18を形成し、かつ上記空気流路24内に上記透光部22に対面する受光面30を有する集熱板８を設置したことを特徴とする、集熱ダクト。
【請求項２】
上記集熱板８は、上記透光部22との間に第1空気流路部分24ａを、上記断熱部18との間に第２空気流路部分24ｂをそれぞれ介在させて設置したことを特徴とする、請求項１記載の集熱ダクト。
【請求項３】
。
上記第２空気流路部分24ｂと断熱部18との間に蓄熱層20を形成したことを特徴とする、請求項１又は請求項２記載の集熱ダクト。
【請求項４】
円筒形状に付形した外筒６内に、その筒軸回りの回動自在に集熱板８を支持する支持手段10を設けたことを特徴とする、請求項１、請求項２又は請求項３記載の集熱ダクト。
【請求項５】
上記支持手段10を、上記外筒６の両端部側に付設した軸受10a,10bの間に透光性の回転軸10ｃを架設することで形成し、又、上記集熱板８を、巾方向中間部に嵌合溝部８ａを有する帯板形として、その嵌合溝部８ａ内へ上記回転軸10ｃを嵌着させることで回転自在に設けたことを特徴とする、請求項４記載の集熱ダクト。
【請求項６】
上記集熱板８を、太陽光をエネルギー源とする駆動装置40で回転軸10ｃの回りを回転可能に形成したことを特徴とする、請求項４又は請求項５記載の集熱ダクト。
【請求項７】
上記外筒６は、矩形筒状に形成して、その矩形の一辺に相当する上方側壁部を上記透光部22とするとともに、他の３辺に相当する三方側壁部を凹字形の断熱部18に形成し、かつ、上記集熱板は、少なくとも、上記凹字形の断熱部18の底壁部分との間に上記第２空気流路部分24ｂ形成代を存して支持されている水平板部8cを有することを特徴とする、請求項２又は請求項３の何れかに記載の集熱ダクト。
【請求項８】
建物の屋上その他の屋外空間に、上記請求項１乃至請求項７の何れかに記載した集熱ダクト４を、その上流部を下にして斜めに配置するとともに、上記集熱ダクト４の下流部を空調機54を介して建物内の空調空間Ａ内へ接続したことを特徴とする、集熱ダクトを利用した換気システム。
【請求項９】
上記集熱ダクト４を平行に複数個設け、かつこれら集熱ダクトの上端部を一本の集熱ヘッダー36に接続し、該集熱ヘッダーを介して空調機54へ連通させたことを特徴とする、請求項８記載の集熱ダクトを利用した換気システム。
【発明の詳細な説明】
【技術分野】
【０００１】
本発明は、集熱ダクト及び集熱ダクトを使用した換気システムに関する。
【背景技術】
【０００２】
住宅等の換気システムの省エネルギー化のため、集熱パネルを兼ねた金属製屋根板の下面に沿って、下外端開口で下面側を断熱材で遮蔽した空気流路を斜めに設け、該流路上部から縦ダクトを介して床吹出口へ連通させており、上記屋根板で加熱した空気を上記空気流路を介して集めて床吹出口から吹出すように設けたものが知られている（特許文献１）。
【０００３】
又、換気システムではないが、透光性外管内に水等の熱媒体路としての内管を二重筒状に設けるとともに、これら内外両管の間を真空の断熱空間とし、該空間内に、通路方向に長い帯板状の集熱板であって、その巾方向中間部に凹設した嵌合凹溝内に上記内管を嵌合させたものを設けた集熱器が知られている（特許文献２）。
【特許文献１】特開2002−235955号
【特許文献２】実公昭58−9738号
【発明の開示】
【発明が解決しようとする課題】
【０００４】
特許文献１の如く金属製屋根板を集熱パネルとして用いる換気システムでは、パネルが受光した太陽熱のうち相当部分が外部へ逃散してしまう不利がある。これを避けるため、ガラスなどの透明平板で表面部を形成したパネル型の集熱器とすることも可能であるが、この場合には強度確保のために肉厚のガラス板等を用いなければならず、コストが高くなるとともに、大面積としたときには歪みを生ずるおそれがある。又、屋上エリアを緑化しようとするときには、屋上面の一部を集熱パネルとする換気システムを導入し難く、集熱部のレイアウトの自由度の大きいシステムが要望されている。
【０００５】
本出願人は、これらの問題点を鋭意検討し、施工性などの良い換気システムの集熱手段として、換気ダクト自体に集熱機能を兼用させるという着想に到達した。もっともかかる着想を実現するためにも様々な問題があり、例えば特許文献２に開示する如く、外管との間に真空を印加した内管の内部を熱媒体路とした構造を換気ダクトに応用するとすれば、その内管を通常のダクトの太さとしたときに、その回りに囲成するため、ダクト全体が嵩張るものとなるものとなってしまう。
【０００６】
そこで本発明は、施工の自由度が大きく、かつ集熱性、施工性、及び経済性に優れた集熱ダクト及び該集熱ダクトを利用した換気システムをコンパクトな構成で実現するため、空気流路24形成用の外筒６の少なくとも一半側部を透光部22とするとともに、他半側部に断熱部18を形成し、かつ上記空気流路24内に上記透光部22に対面する受光面30を有する集熱板８を設置したものを提案する。
【課題を解決するための手段】
【０００７】
第１の手段は、集熱ダクトであり、空気流路24形成用の外筒６の少なくとも一半側部を透光部22とするとともに、他半側部に断熱部18を形成し、かつ上記空気流路24内に上記透光部22に対面する受光面30を有する集熱板８を設置している。
【０００８】
「透光部」は、ガラスや透明アクリルなどの透明材料で形成すると良い。尚、例えばダクトの外筒全体を透明材料で形成するとともに、その一側部内面側に「断熱部」として断熱材を貼着させることもできる。尚、断熱部は集熱ダクトの長手方向全長に亘って形成するとよい。
【０００９】
「集熱板」は、熱吸収、及び熱放射をし易い鉄その他の金属で形成するとよく、又、集熱板の表面は、吸熱性の高い光選択性塗料（例えば吸収率0.98の黒色クロムめっき）を塗布すると良い。
【００１０】
第２の手段は、上記第１の手段を有し、かつ上記集熱板８は、上記透光部22との間に第1空気流路部分24ａを、上記断熱部18との間に第２空気流路部分24ｂをそれぞれ介在させて設置している。
【００１１】
尚、これら第1空気流路部分24ａ及び第２空気流路部分24ｂは、上記集熱板８によって空間的に遮断されている必要はない。尚、上記集熱板８の表面のほぼ全体は第1空気流路部分24ａに、又、上記集熱板８の裏面のほぼ全体は第２空気流路部分24ｂにそれぞれ面しており、これら各面から熱が放射されるように設けるとよい。
【００１２】
第３の手段は、上記第１の手段を有し、かつ上記第２空気流路部分24ｂと断熱部18との間に蓄熱層20を形成している。
【００１３】
「蓄熱層」は、ＰＣＭ（Phase Change Material）、即ち潜熱蓄熱材で形成することが望ましい。
【００１４】
第４の手段は、上記第１の手段、第２の手段又は第３の手段を有し、かつ円筒形状に付形した外筒６内に、その筒軸回りの回動自在に集熱板８を支持する支持手段10を設けている。
【００１５】
「集熱板」は手動乃至自動で回転可能に設けることができる。
【００１６】
「支持手段」は、集熱板の巾方向内側部分に固定する回転軸と軸受とで構成することもでき、又、外筒の両端部外面に嵌合した回転リングから内方へ突出した係止爪で集熱板の長手方向両端面を係止させることで構成しても良い。これらの構成については後述する。
【００１７】
尚、上記断熱部18は、集熱板８の両端部の間の外筒部分の内面に沿って、該内面に対して摺動自在に形成すると良い。
【００１８】
第５の手段は、上記第４の手段を有し、かつ上記支持手段10を、上記外筒６の両端部側に付設した軸受10a,10bの間に透光性の回転軸10ｃを架設することで形成し、又、上記集熱板８を、巾方向中間部に嵌合溝部８ａを有する帯板形として、その嵌合溝部８ａ内へ上記回転軸10ｃを嵌着させている。
【００１９】
第６の手段は、上記第４の手段又は第５の手段を有し、かつ上記集熱板８を、太陽光をエネルギー源とする駆動装置40で回転軸10ｃの回りを回転可能に形成している。
【００２０】
具体的には、集熱板８は、太陽光線電池を駆動源とするモーターなどを用いて、太陽の位置に追従して回動するように設けるとよく、更に通年の太陽の位置データに基づく年間プログラムにより集熱板８を回動させるように設けると良い。そのプログラムの詳細については後述する。
【００２１】
第７の手段は、上記第２の手段又は第３の手段の何れかを有し、かつ上記外筒６は、矩形筒状に形成して、その矩形の一辺に相当する上方側壁部を上記透光部22とするとともに、他の３辺に相当する三方側壁部を凹字形の断熱部18に形成し、かつ、上記集熱板は、少なくとも、上記凹字形の断熱部18の底壁部分との間に上記第２空気流路部分24ｂ形成代を存して支持されている水平板部8cを有している。
【００２２】
「水平板部」は、上記コ字形断熱部の底壁部分との間にスペーサを介在させて支持することができる。
【００２３】
上記集熱板は、更に上記水平板部の両側から立板を起立して、上記三方側壁部から一定間隔を存して断面コ字形に付形することができる。
【００２４】
第８の手段は、集熱ダクトを利用した換気システムであり、建物の屋上その他の屋外空間に、上記第１の手段乃至第７の手段の何れかに記載した集熱ダクト４を、その上流部を下にして斜めに配置するとともに、上記集熱ダクト４の下流部を空調機54を介して建物内の空調空間Ａ内へ接続している。
【００２５】
第９の手段は、上記第８の手段を有し、かつ上記集熱ダクト４を平行に複数個設け、かつこれら集熱ダクトの上端部を一本の集熱ヘッダー36に接続し、該集熱ヘッダーを介して空調機54へ連通させている。
【発明の効果】
【００２６】
第１の手段に係る発明によれば、次の効果を得られる。
○本願のダクトは、その外筒６一半側部を透光部22とし、他半側部に断熱部18を設けて集熱器の機能を兼備させたから、ダクトの増設・組合せにより立体的で自由なレイアウトが可能となり、例えば屋上の緑化帯回りの僅かなスペースを有効利用したり、或いは折板による工場等の屋根においてトップライトの列の間にトップライトと平行に集熱ダクトを設置することができ、適用範囲が飛躍的に広がる。
○又、集熱器の外形をダクト型とすることで、パネル型の集熱器に比べて歪みによる大きさの限界を解消して施工性を向上することができる。
○集熱器の全体形状をパネル型に比べて強度に優るダクト型、即ち円筒乃至多角筒型としたから、該筒形状をガラスやアクリル等の透明材料で形成する際にそのガラス等の厚みを小として材料費を低減することができる。
○又本願ダクトは、外筒内の空気流路24に集熱板８を内装したから、集熱効率が高い。
○上記集熱板８は、透光部22に対向させて気流を妨げないように配向しているから、上記空気流路24の流路面積を減少させず、コンパクトで大流量の通風が得られる。
【００２７】
第２の手段に係る発明によれば、上記集熱板８は、上記透光部22との間に第1空気流路部分24ａを、上記断熱部18との間に第２空気流路部分24ｂをそれぞれ介在させているから、透光部22を通して集熱板８の表面に照射された太陽光の熱が該表面より対流熱として第１空気流路部分24ａへ、集熱板８の裏面から放射熱として第２空気流路部分へそれぞれ放出され、従って第１、第２空気流路部分24a,24ｂを介して効率的に熱を取り出すことができる。
【００２８】
第３の手段に係る発明によれば、上記第２空気流路部分24ｂと断熱部18との間に蓄熱層20を形成したから、第２空気流路部分24ｂから外部への熱の逃散を防止して更に熱取出しの効率を上げることができる。
【００２９】
第４の手段によれば、円筒形の外筒６内に、その筒軸回りの回動自在に集熱板８を設けたから、その外筒の内径いっぱいに集熱板８の巾をとって受光面30の面積を大きくとることができるとともに、太陽に追随して集熱板の向きを調整して、有効受光面積を大きくすることができる。
【００３０】
第５の手段によれば、次の効果を奏する。
○集熱板８の嵌合溝部８ａに回転軸10ｃを嵌着させたから、該回転軸を介して集熱板８に回転力を伝達し易く、かつ、組立ても容易である。
○上記回転軸10ｃは透明材料で形成するから、集熱板８の受光面30に陰が出来ず、集熱効率が良い。
○更に既述特許文献２と相違して空気の流路は回転軸10ｃの外側に形成され、かつ該回転軸の径は空気の流路である特許文献２の内管よりも小外径に形成することができるから、ダクト全体が嵩張ることがない。
【００３１】
第６の手段に係る発明によれば、集熱板８を、太陽光をエネルギー源とする駆動装置40で回転軸10ｃの回りを回転可能に形成したから、このシステムの運用のためのエネルギーを全て太陽エネルギーでまかなうことができ、有利である。
【００３２】
第７の手段に係る発明によれば、上記外筒６は、矩形筒状に形成して、その矩形の一辺に相当する上方側壁部を上記透光部22とするとともに、他の３辺に相当する三方側壁部を凹字形の断熱部18に形成したから、外筒全体をガラスやアクリルなどで形成する場合に比べて廉価に製造することができる。
【００３３】
第８の手段に係る発明によれば、上記第１乃至第７の手段に係る集熱ダクトを建物の換気システムに適用したから、換気量を大きくかつ熱効率を高くすることができ、又、これらダクトを上流部を下にして斜めに配置したから、次の効果を奏する。
○各ダクトの外気導入口が下側となるので、雨水等の侵入を防げる。
○斜めに設置した各ダクト内の空気は温められて上昇するので下流側より建物内部へ引き込むことが容易である。
【００３４】
第９の手段に係る発明によれば、上記集熱ダクト４を平行に複数個設け、かつこれら集熱ダクトの上端部を一本の集熱ヘッダー36に接続し、該集熱ヘッダーを介して空調機54へ連通させたから、更に大容量の温風を建物に取り込むことができる。
【発明を実施するための最良の形態】
【００３５】
図１から図８は、本発明の第１の実施形態に係る集熱ダクト及び該集熱ダクト付き換気システムを示している。
【００３６】
図１は、本システムの全体の構成を示しており、同図中Ａは空調領域であり、Ｂは建物の床、Ｃは建物の外壁、Ｄは建物の屋上である。
【００３７】
本システムは、集熱部２と、配熱部を兼ねる換気路50とで構成されている。該構成のうち公知の部分を説明すると、集熱部２では、屋上Ｄに集熱ダクト４を斜めに配置している。該集熱ダクトの上流部（下端部）は図２の如く外気導入口12として開口しており、又集熱ダクトの下流部（上端部）は暖められた空気の取出口として、換気路50の連結ダクト52へ接続されている。該連通ダクトは建物の外壁Ｃに配置された空調機54へ接続され、該空調機から給気ダクト56を介して建物の床Ｂなどに開口する吹出口58へ連通している。尚、空調機54及び吹出口58の位置は適宜変更することができる。上記空調機54は、必要により集熱ダクト４から送風された暖気を加熱又は加湿するとともに、防塵フィルタなどにより清浄化することで、空調空気として給気する。
【００３８】
本発明において、図２に示す如く、集熱部２は、複数の集熱ダクト４…と、集熱ヘッダー36と、駆動装置40とで構成されている。
【００３９】
上記集熱ダクト４は、両端開口の円筒状の外筒６と、該外筒内に挿入した集熱板８と、この集熱板を回転自在に支持する支持手段10と、上記外筒の一側部に形成した断熱部18及び蓄熱層20で形成している。又、本実施形態では、断熱部18設置箇所を除く外筒部分を透光部22としている。
【００４０】
上記外筒６は、透明アクリル樹脂乃至ガラスなどの透明材料により、冬季の日射でダクト内通過空気の所要の温度上昇が得られる程度の長さに形成するものとする。又、外筒６は当該長さに形成して斜めに設置しても壊れない程度の剛性を有するものとする。上記外筒６で囲成される空間は空気流路24を形成している。又、上記外筒６の底壁部分下流側には、後述の集熱ヘッダーとの接続口26を開口している。
【００４１】
上記支持手段10は、本実施形態では、上記外筒６の両開口部に付設した第１、第２軸受10a,10bと、これら両軸受間に同軸状に架設した回転軸10cとで構成している。
【００４２】
上記第１軸受10a及び第2軸受10bは、図３及び図４に示す如く上記外筒６の両開口部に嵌着された軸孔11,11付きの枠板として形成されており、それら軸孔の孔縁には回転軸受用のベアリング14を付設している。上流側に位置する第１軸受10aの適所、例えば該第１軸受の上半部及び下半部には、それぞれ広口の外気導入口12を開口している。但し、これら外気導入口は、例えば前述の外筒６の上壁部及び下壁部にそれぞれ上下一対穿設しても良い。
【００４３】
上記回転軸10cは、両端部を小外径部13として、これら小外径部を上記ベアリング14内に嵌挿させることで軸止させている。回転軸10cは、外筒と同様に透明材料で形成するものとし、かつ材料節減のために中空筒形とすることが望ましい。又、回転軸10cの下流側端面には、後述の駆動装置との接合用の切溝15を穿設する。
【００４４】
上記集熱板８は、ダクト長手方向全長に亘って延びる帯板状であって、その巾方向中間部には、上面開口の半円筒形の嵌合溝部８ａを横設しており、該嵌合溝部内へ上記回転軸10cを嵌着することで該回転軸とともに回転可能に形成している。図７(Ａ)に示す通り嵌合溝部両側の集熱板部分８b、８bは、筒軸方向から見たときに、外筒６の直径Ｌに沿って同図水平方向に延びており、かつ上記嵌合溝部８ａ及び両集熱板部分８bの各上面は受光面30を、又嵌合溝部８ａ及び両集熱板部分８bの各下面は輻射面32を、それぞれ形成している。これら受光面30及び輻射面32は、好ましくは黒色の吸光性塗料を集熱板８の地金に塗布して形成すると良く、又、集熱板８は、熱導電性の良い鉄などの金属で形成すると良い。図示例では、上記集熱板部分８b、８bの外端部を上記外筒６内面に摺接させており、集熱板８は、外筒６内の空気流路24を、上記受光面30に面する第１空気流路部分24ａと上記輻射面32に面する第２流路部分24bとに区切っている。もっとも上記集熱板部分の外端部と上記外筒６内面との間には隙間があってもよく、該隙間を介して第１、第２空気流路部分24a,24bが連通していても良い。
【００４５】
上記断熱部18は、上記集熱板８の輻射面32と対面して、図７(Ａ)に示す如く集熱板の巾方向両端部間の外筒部分内面に沿って半円筒形に形成しており、該断熱部18内面と集熱板８の輻射面32とで上記第２空気流路部分24ｂを囲むように形成している。該断熱部18は、集熱板８の回動に伴い、上記外筒６内面を摺動可能に設ける。該摺動の際にその半筒形の形状を維持するため、断熱部18はある程度の保形性を備えた断熱材料で形成すると良い。又、断熱部18の厚さは、上記第２流路部分24ｂから外部への熱の逃散を防ぐのに十分な大きさとする。
【００４６】
上記蓄熱層20は上記断熱部18の内面に貼着する。該蓄熱層は、潜熱蓄熱材で形成することができる。
【００４７】
上記集熱ヘッダー36は、図１の如く屋上Ｄから一定の距離をおいて図示しない支持脚などで支持されている。又、集熱ヘッダー36の上面からは連通筒38を起立している。
【００４８】
上記駆動装置40は、図４に示す如く上記集熱ヘッダー36の上面から脚板42を介して突出した電動モータ44として構成されており、該モータの駆動軸を上記回転軸10cの切溝15に接続している。駆動装置の制御は、図示しない制御装置により行なうことができるものとし、１時間おきに回転軸を回転させると良い。電動モータは、角度（回転範囲）を抵抗値として設定しておき、制御する電流値分（抵抗値と反比例）の回転トルクにより回転させることができる。
【００４９】
上記集熱ダクト４…は、図１に示す如く下流側端部を上にして、該下流側の外筒部分の接続口26を、上記集熱ヘッダー36の連通筒38上端に接続することで斜めに設置する。各集熱ダクト４は、上流側を南向きとして南北方向に配列し、太陽が東から西へと移動するのに追随して集熱板８の向きを調節できるようにすることが望ましい。又集熱ダクト４の勾配は、その設置場所の冬至での南中時太陽高度に応じて、該南中時に太陽光が上記集熱板８の受光面に直角に当たるようにすることが熱効率上望ましいが、設置場所の広さによって適宜変更できる。例えば設置場所が極端に狭ければ、上記各集熱ダクトを建物の外壁Cの南向き部分に沿って、上流側を下にして鉛直に固定することも可能である。
【００５０】
上記構成において、図１の状態から、空調機54を作動させると、該空調機の送風ファン（図示せず）の吸引力により、外気が外気導入口12から集熱ダクト４の空気流路24を通過して換気路50の連結ダクト52を介して空調機54に入り、加熱・加湿されて、その温風が給気ダクト56から吹出口58を経て空調空間Ａへ吹き込まれる。ここで集熱ダクト４を外気が通過する際に、図７(Ａ)に示す如く太陽光が集熱ダクト４の透光部22を通って集熱板８の受光面30に当たって該受光面から第１空気流路部分24ａ内へ主に対流によって熱が伝達されるとともに、受光面30から集熱板８の内部を通って輻射面32へ熱が伝導し、輻射熱として第２流路部分24b内へ放出される。これら両空気流路部分に放出された熱により、各流路部分を通過する空気の温度が上昇するので、空調機54において加熱する熱量が節約され、省エネルギーに資する。又、上記集熱板８は、図７(Ｂ)に示す如く、太陽の移動に伴い、設定された集熱ダクト４の勾配の範囲で有効受光面積が最大となるように、好ましくは受光面30と太陽光線とが直角になる向きを変えるように制御する。
【００５１】
図８は、図１乃至図７の図示例の支持手段10の変形例を示している。本例の支持手段10は、嵌合筒10eと回転リング10fとで形成されている。
【００５２】
上記嵌合筒10ｅは、上記外筒６の上流側及び下流側両端部外面に抜出し不能に嵌着させてあり、その筒壁外面の中間部にはスライド溝16を周設している。
【００５３】
上記回転リング10ｆは、上記スライド溝16内に摺動自在に嵌合されており、該回転リングの両側部から集熱ダクト４の両端面側へ突出したＬ字形の係止片17の先端部を、上記集熱板８の長手方向両端面に固定している。本例では、集熱板に回転軸嵌合用の溝を形成する必要はなく、又、回転軸も省略できるので、外筒内の流路面積を大きくとることができる。集熱板８を回転させるときには、上記回転リングの外面を駆動装置に接続すればよい。又、上記外筒６の上流側端面における集熱板８上面と外筒筒縁の上半部との間隙、及び集熱板８下面と外筒筒縁の下半部との間隙は外気導入口12を形成する。又、外筒６の下流側端面におけるこれらの間隙は、閉塞板などで閉塞すればよい。
【００５４】
図９乃至図１０は、本発明の第２の実施形態に係る集熱ダクトを示すものであり、該集熱ダクトは、外筒６を四角筒状に形成したものである。以下第１実施形態と同じ構成については同一符号を付することで説明を省略する。
【００５５】
図９の図示例では、外筒６そのものを、平板形の透光部22と、断面凹字形の樋部材として形成した断熱部18とで構成している。上記透光部22は断熱部18の上面に着脱自在に設けることができる。透光部22は、第1実施形態と同様に透明アクリル樹脂又はガラスで形成することができ、又、断熱部18は、ガバニウム鋼板などで形成することができる。又、図示例では、外筒６を長手方向に複数の外筒部分で分割している。上記断熱部18の底壁部分上面には、蓄熱層20を敷設している。該蓄熱層は必ずしも保形性を有するものでなくても良い。
【００５６】
又、外筒６の断熱部18の底壁上面には、水平板状の集熱板８を載置している。該集熱板下面と断熱部の底壁上面との間にはスペーサ９を挿入して、第2空気流路部分24b形成代を設けている。又、上記集熱板８の上面と上記透光部22の下面との間には第1流路部分24ａが形成されており、第１、第２空気流路部分はそれぞれ連通している。上記集熱板８は例えば鋼板などの金属板で形成することができ、又、その表面には黒色亜鉛メッキを施すことが好ましい。
【００５７】
本実施形態の集熱ダクトは、一日の太陽の動きに対応して東西方向に設けるとよい。又、この場合には、図示する如く上記集熱ダクトを屋上Dに無勾配で設置すればよい。
【００５８】
図１０は、図９の変形例であって、上記集熱板８を、その水平板部８cの巾方向両端部から縦板部8d、8dをそれぞれ立設して、上記平板状の集熱板８を断面コ字形に形成したものである。該集熱板の縦板部分の上端は上記透光部22下面に突き当てており、該透光部下面と集熱板８内面とで第1空気流路部分24ａを、又透光部下面と集熱板８外面と断熱部18の内面とで第２空気流路部分24ｂを形成している。
【図面の簡単な説明】
【００５９】
【図１】本発明の第１の実施形態に係る集熱ダクト及び該集熱ダクトを使用した換気システムの概念図である。
【図２】図１システムの集熱部の構成を示す斜視図である。
【図３】図１のダクトの上流側端部の拡大斜視図である。
【図４】図１のダクトの下流側端部の拡大斜視図である。
【図５】図４のダクト端部の拡大断面図である。
【図６】図１のダクトの途中部を切断して示す斜視図である。
【図７】図１のダクトの作用を示す断面図である。
【図８】図３のダクト端部の変形例を示す拡大斜視図である。
【図９】本発明の第２の実施形態に係る集熱ダクトの斜視図である。
【図１０】図９のダクトの変形例を示す断面図である。
【符号の説明】
【００６０】
Ａ…空調空間  Ｂ…建物の床、Ｃ…建物の外壁、Ｄ…建物の屋上  Ｌ…ダクト直径
２…集熱部  ４…集熱ダクト  ６…外筒  ６ａ…外筒部分
８…集熱板  ８ａ…嵌合溝部  ８ｂ…集熱板部分   ８ｃ…水平板部  
８ｄ…縦板部  ９…スペーサ 
10…支持手段  10a…第１軸受  10b…第２軸受  10c…回転軸  
10e…嵌合筒  10f…回転リング
11…軸孔  12…外気導入口  13…回転軸小外径部  14…ベアリング
15…切溝  16…スライド溝  17…係止爪  18…断熱部  20…蓄熱層
22…透光部  24…空気流路  24ａ…第１空気流路部分  24b…第２空気流路部分
26…接続口 30…受光面  32…輻射面  
36…集熱ヘッダー  38…連通筒  40…駆動装置  42…脚板  44…電動モータ
50…換気路  52…連結ダクト  54…空調機  56…給気ダクト  58…吹出口
【図１】
2006029732.tif 000003
【図２】
2006029732.tif 000004
【図３】
2006029732.tif 000005
【図４】
2006029732.tif 000006
【図５】
2006029732.tif 000007
【図６】
2006029732.tif 000008
【図７】
2006029732.tif 000009
【図８】
2006029732.tif 000010
【図９】
2006029732.tif 000011
【図１０】
2006029732.tif 000012